(57)【要約】本発明のテープカートリッジリーダーは、ガイドウイングの間のテープカートリッジリーダーの本体に位置した、可撓性解放アパーチャとともに提供される。この可撓性解放アパーチャは、テープカートリッジリーダーが、テープドライブにおけるテープガイドローラーの周りに引っ張られる場合、テープカートリッジリーダーが急な曲率半径において屈曲することを可能にする。それにより、確実に、テープカートリッジリーダーが、テープドライブにおけるテープ経路を横断する場合に、テープガイドローラーに適切に収容される。可撓性解放アパーチャはまた、既存のテープカートリッジリーダーにおいて問題であるガイドウイングが、テープカートリッジリーダーの本体と接触する位置でのテープカートリッジリーダーにおける亀裂形成の可能性を低減する。
2004536418.tif 000002
【特許請求の範囲】
【請求項１】
単一リールテープカートリッジにおいてハブおよび１対のフランジを有する供給リールに含まれる磁気テープ媒体を終わらせるためのテープカートリッジリーダーであって、該単一リールテープカードリッジは、ハブおよび１対のフランジを備える巻き取りリールを有するテープドライブに装填され、該テープカートリッジリーダーは、巻き取りリーダーに着脱可能に接続可能であり、該巻き取りリーダーは、単一リールテープドライブに位置づけられ、かつ該巻き取りリールに接続され、その結果、該磁気テープ媒体は、該テープドライブに対して内部の曲線式テープ経路を通じてまかれ得、該テープカートリッジリーダーは、以下：
第１端部と第２端部との間に一体形成された細長本体であって、該第１端部は該テープカートリッジにおける該供給リールに接続された、細長本体；
留め穴手段であって、該留め穴手段は、該テープカートリッジが該テープドライブに装填される場合に、該テープドライブにおける該巻き取りリーダーに着脱可能に接続するために該第２端部内に位置している、留め穴手段；および
該テープカートリッジリーダーを導くために、第２端部内に位置している、テープカートリッジリーダー中心付け手段であって、該手段は、以下：
該巻き取りリールの該フランジの間に該テープカートリッジリーダーを導くために、該細長本体の反対の縁部に形成された１対のガイド、
該本体に形成され、該１対のガイド間で該細長本体の幅にまたがって延びて、該テープカートリッジリーダーの可撓性を増大させる、可撓性解放アパーチャ、
を備える、テープカートリッジ中心付け手段、
を備える、テープカートリッジリーダー。
【請求項２】
請求項１に記載のテープカートリッジリーダーであって、前記可撓性解放アパーチャは、実質的に矩形の形状の開口部を備え、該開口部は、２つの端部を有し、該本体に形成され、前記１対のガイド間の該細長本体の幅にまたがって延びる、テープカートリッジリーダー。
【請求項３】
請求項２に記載のテープカートリッジリーダーであって、前記可撓性解放アパーチャの前記２つの端部は、前記１対のガイドの各々の内にそれぞれ位置している、テープカートリッジリーダー。
【請求項４】
請求項２に記載のテープカートリッジリーダーであって、前記可撓性解放アパーチャは、前記１対のガイド内の前記テープカートリッジリーダーに沿って長手軸方向に実質的に中心づけられている、テープカートリッジリーダー。
【請求項５】
請求項１に記載のテープカートリッジリーダーであって、前記可撓性解放アパーチャは、複数のスロットを備え、各々は、前記本体に形成された２つの端部を有し、前記１対のガイド間の前記細長本体の幅にまたがって延びる、テープカートリッジリーダー。
【請求項６】
請求項５に記載のテープカートリッジリーダーであって、前記可撓性解放アパーチャは、丸形アパーチャをさらに備え、該丸形アパーチャは、前記複数のスロットのうちの少なくとも１つの前記２つの端部の各々に形成されている、テープカートリッジリーダー。
【請求項７】
請求項５に記載のテープカートリッジリーダーであって、前記可撓性解放アパーチャの前記２つの端部は、前記１対のガイドの各々の内部にそれぞれ位置される、テープカートリッジリーダー。
【請求項８】
請求項５に記載のテープカートリッジリーダーであって、前記可撓性解放アパーチャは、前記１対のガイド内の前記テープカートリッジリーダーに沿って長手軸方向に、実質的に中心づけられる、テープカートリッジリーダー。
【請求項９】
請求項１に記載のテープカートリッジリーダーであって、前記テープカートリッジリーダー中心付け手段は、前記１対のガイドの後方縁部に形成されたチャンバにおけるリード線をさらに備えて、前記１対のガイドを、前記テープカートリッジに形成された対応する１対のガイド軌道を徐々に係合させ得る、テープカートリッジリーダー。
【請求項１０】
請求項１に記載のテープカートリッジリーダーであって、前記テープカートリッジリーダー中心付け手順は、前記１対のガイドの先導縁部に形成されたチャンバにおけるリード線を備えて、前記１対のガイドを、前記テープドライブの前記巻き取りリールの前記フランジ間に整列させ得る、テープカートリッジリーダー。
【発明の詳細な説明】
【技術分野】
【０００１】
本発明は、デジタルテープカートリッジに関し、特に、単一リールテープカートリッジにおいて使用するための改善された性能特徴を有するテープカートリッジリーダーに関する。
【発明の開示】
【発明が解決しようとする課題】
【０００２】
（課題）
巻き取りリーダーにテープカートリッジリーダーを信頼性高く留め金で留めるおよび留め金を外すために必要な特徴のすべてを実施するテープカートリッジリーダーを提供し、テープカートリッジリーダーを巻き取りリールに導き、テープカートリッジが、輸送および格納のために適切な場所に磁気テープをロックすることを可能にすることは、単一リール磁気テープカートリッジにおける課題である。この課題に対する現在の解決法は、これらの機能のすべての相反する要件およびテープカートリッジリーダーの制限された長さの中で、互いにきわめて近接して複数の特徴を実施する必要性に起因した、テープカートリッジリーダーを欠点として有する。
【０００３】
デジタルデータは、種々のテープカートリッジおよびテープカセット設計を利用して、磁気テープ媒体に対するテープドライブによって格納されるが、すべての場合において、その磁気テープ媒体は、データが、磁気テープ媒体に移し、またはこの媒体から移される場合に、１対のテープリールの間に巻き付けられる。データ格納の分野において、データを格納するために必要な物理的空間は、重要な考慮事項である。図１〜２を参照すると、空間を保存するために、テープドライブは、しばしば、図１に示される単一リールテープカートリッジ設計を使用する。これは、取り外し可能なテープカートリッジ（示さず）内に位置する供給リールおよびテープドライブ１００内に位置する巻き取りリール１０１を利用する。
【０００４】
テープカートリッジが、テープドライブ１００に挿入された後に、磁気テープ媒体は、テープドライブ１００内に装填されなければならない。装填操作は、磁気テープ媒体を巻き取りリール１０１に接続させ、磁気テープ媒体を開始点またはテープヘッド１１２に隣接した読み取り位置へと巻き取ることを包含する。この接続のために種々の方法が使用されてきた。図２は、１つのこのような方法を例示し、ここで、磁気テープ媒体が、巻き取りリール１０１に、テープカートリッジリーダー２０３と巻き取りリーダー２０１との間の留め金２００を介して接続される。このテープカートリッジリーダー２０３は、磁気テープ媒体を一方の端部で終結させ、巻き取りリーダー２０１と接合するように構成された卵形のアパーチャ２０２を備える強い可撓性プラスチックストリップからなる。この巻き取りリーダー２０１は、１対の一体形成されたフランジ２０６および２０７を使用して、巻き取りリール１０１に一方の端部にて取り付けられている同様の強い可撓性プラスチックストリップである。対抗する端部は、基部（ｓｔｅｍ）２０４、およびテープカートリッジリーダー２０３上に卵形のアパーチャ２０２を留めるように設計されたタブ２０５を備える。
【０００５】
この巻き取りリーダー２０１はまた、アパーチャ２０９、２１０および２０８を備える。テープカートリッジがテープドライブ１００に存在しない場合、この巻き取りリーダー２０１は、曲線式テープ経路における複数のガイドローラー１０２〜１０５の周りに巻き付けられ、アパーチャ２０８を通して延びる回転つめ（ｃａｔｃｈ）１０６により適切な位置に固定される。テープドライブ１００の操作の間に、つめ１０６は、テープドライブを、テープカートリッジにおける巻き取りリール１０１と供給リールとの間の磁気テープ媒体を巻き取ることを可能にするように、経路位置から回転される。さらに、そのアパーチャ２０９は、巻き取りリーダー２０１およびテープカートリッジリーダー２０３が、テープカートリッジのテープドライブからの取り出し（ｅｊｅｃｔｉｏｎ）のための留め金を外した位置にある場合を検出するために、テープドライブ１００により使用される。このアパーチャ２１０は、巻き取りリーダー２０１とテープカートリッジリーダー２０３との間の留め金２００が、アパーチャ２１０と整列して、巻き取りリール１０１の周りに巻き付ける間に留め金２００の付加された高さの効果を低下するように構成される。
【０００６】
同様の様式にて、テープカートリッジリーダー２０３は、軸２０４とテープドライブの巻き取りリーダー２０１のタブ２０５とを留める、卵形アパーチャ２０２を備える強い可撓性プラスチックストリップからなる。テープカートリッジリーダー２０３が、テープドライブにおける巻き取りリーダー２０１の範囲を超えてテープカートリッジへと完全に巻き取られることを防ぐために、テープカートリッジは、カートリッジハウジングに固定され、矩形の形状のアパーチャ２１２を通して延びる回転カートリッジリーダー保持フック２１４を備える。さらに、１対のガイド「ウイング」は、各々、テープカートリッジリーダー２０３の幅方向の矩形の形状の延長からなり、対抗する供給リールフランジに形成された対応するガイド軌道（ｇｕｉｄｅ  ｔｒａｃｋ）をたどって、テープカートリッジリーダー２０３を、供給リールフランジ間に中心づけられた位置へ導く。これらのガイドウイングがまた、テープリーダー保持特徴として使用される。なぜなら、これらのウイングは、ガイド軌道に形成された停止部を係合して、それにより、テープカートリッジリーダー２０３のテープカートリッジへの動きを制限する。
【０００７】
テープカートリッジリーダー２０３の現在の設計に伴う信頼性の問題は、巻き取りおよび巻き戻し操作によりテープカートリッジリーダー２０３に課された応力に起因して存在する。特に、このガイドウイングは、テープ巻き戻し操作におけるガイド軌道の停止に対してガイドウイングを収容するテープドライブによってガイドウイングに発揮される力に起因して、亀裂が入り得、そしてテープカートリッジリーダーから分離し得る。さらに、矩形の形状のガイドウイングは、ガイドウイングの先導縁部（ｌｅａｄｉｎｇ  ｅｄｇｅ）の角が、損傷を受け、ガイド軌道と整列できないということに起因して、巻き戻しの失敗を生じ得る。さらに、比較的短いが剛性の、テープカートリッジリーダーの区画が、テープの巻き取りおよび巻き戻し操作の間にテープ経路におけるテープガイドローラーと完全に接触したままであるには十分曲がらない。この磁気テープは、テープカートリッジリーダーがこのガイドローラーに対して適切に収容されないということに起因して、テープ経路から潜在的に滑り得る。これらのテープカートリッジリーダーの失敗は、結果として、テープカートリッジがテープドライブにより役に立たないおよび／または結果として高価なテープカートリッジリーダーの修理／交換を生じ得る。
【課題を解決するための手段】
【０００８】
（解決法）
本発明は、改善された性能および信頼性を有するテープカートリッジリーダーを提供することによって、上記で概説した課題を克服し、技術を進歩させる。本発明のテープカートリッジリーダーは、第１端部と第２端部との間に一体形成された細長本体を備える。この第１端部は、テープカートリッジにおける供給リールに巻き取られる磁気テープ媒体に接続する。第２端部は、軸と、テープドライブの巻き取りリーダーのタブとを留める卵形アパーチャを備える。
【０００９】
本発明のテープカートリッジリーダーにおいて、可撓性解放アパーチャは、テープカートリッジリーダーに設けられ、テープカートリッジリーダーの本体においてガイドウイングの間に位置する。この可撓性解放アパーチャは、テープカートリッジリーダーが、テープドライブにおけるテープガイドローラーの周りに引っ張られたときに、テープカートリッジリーダーを、急な曲率半径（ｒａｄｉｕｓ）において屈曲することを可能にし、それにより、テープカートリッジリーダーが、テープドライブにおけるテープ経路を横断する場合に、確実に、テープガイドローラーに適切に収容されるようにする。可撓性解放アパーチャはまた、既存のテープカートリッジリーダーにおいて問題であるこれらのガイドウイングが、テープカートリッジリーダーの本体と接する位置でのテープカートリッジリーダーにおける亀裂形成の可能性を低減する。このガイドウイングはまた、ガイドウイングに対する損傷の可能性を低減する曲率半径にて、リード線とともに成形される。さらに、ガイドウイングの後方縁部（ｔｒａｉｌｉｎｇ  ｅｄｇｅ）は、カートリッジハウジングにおけるガイド軌道を係合するガイドウイングを補助するためのチャンバ中にリード線を備える。既存のテープカートリッジリーダーに対するこれらの改変は、テープカートリッジリーダー可撓性、ガイド、停止部、および留め金特徴を信頼性高く提供することにより、テープカートリッジリーダーの性能および信頼性を改選する。
【００１０】
（詳細な説明）
図３は、本発明に従って、テープカートリッジリーダー３１０の例を例示する。しかし、当業者が、以下に記載の原理に従って多くの他の例を認識し、従って、以下の例は、例示目的であって、限定する目的ではないことが理解される。当業者はまた、種々の記載された特徴が、本発明の複数のバリエーションを形成するように組み合わされ得ることを理解する。
【００１１】
有利には、本発明のテープカートリッジリーダー３１０は、設計および機能において、従来のテープカートリッジリーダー２０３に類似しており、従来のテープドライブ（例えば、１００）において使用するために構成される。このテープカートリッジリーダー３１０は、第１端部３３１と第２端部３３２との間に一体形成された細長本体３３０を備える。第１端部３３１は、テープカートリッジにおける供給リールに巻き付けられた磁気テープ媒体３３３に接続する。第２端部３３２は、基部と、テープドライブの巻き取りリーダー３００のタブ３０１とを留める卵形のアパーチャ３１１を備える。
【００１２】
本発明のテープカートリッジリーダー３１０において、フック保持穴３１３は、カートリッジリーダー保持フック３２０上の対応する曲率半径と適合するフック保持穴３１３の先導縁部３１６についての曲率半径を使用することによって、カートリッジリーダー保持フック３２０の形に適合するように成形される。これは、カートリッジリーダー保持フック３２０は、フック保持ホール３１３と接合し、このホール３１３に力を付与する表面積を増大することにより、応力集中を減少する（強度および耐久性を増大する）。
【００１３】
１対のガイド「ウイング」３１４は、各々、テープカートリッジリーダー３１０の幅方向に卵形の形状の延長部からなり、供給リールの２つのフランジの対抗する表面に形成されるガイド軌道に入る。このガイドウイング３１４は、一旦ガイド軌道と係合すると、供給リールの２つのフランジ間のテープカートリッジリーダー３１０を中心付け、フック保持穴３１３をカートリッジリーダー保持フック３２０と整列する。テープカートリッジリーダー３１０が、テープドライブ（示されない）における巻き取りリールに巻き取られるかまたは巻き戻される場合に、ガイドウイング３１４の外側と巻き取りリールフランジ（示さず）との間の小さなクリアランスが存在する。ガイドウイング３１４の先導縁部の曲率半径３１５を減少させるフランジ界面は、ガイドウイング３１４と巻き取りリールフランジとの間のより大きなクリアランスを可能にし、ガイドウイング３１４に対する損傷の可能性を最小にするように働く。さらに、ガイドウイング３１４の後方縁部は、カートリッジハウジング（示さず）におけるガイド軌道を係合するガイドウイング３１４を補助するようにチャンバ３１８においてリード線を備える。ガイドウイング３１４の主な機能は、テープカートリッジリーダー中心付け機能を提供することである。
【００１４】
さらに、可撓性解放アパーチャ３４１は、ガイドウイング３１４との間のテープカートリッジリーダー３１０の本体に位置したテープカートリッジリーダー３１０にもうけられる。図５および６は、それぞれ、既存のテープカートリッジリーダーおよび本発明のテープカートリッジリーダー３１０についての、テープガイドローラー５０１の周りのテープカートリッジリーダー３１０の軌道を例示する。図７および８は、本発明のテープカートリッジリーダー３１０における可撓性解放アパーチャ３４１の２つの実施形態のさらなる詳細を例示する。この可撓性解放アパーチャ３４１は、テープカートリッジリーダー３１０が、テープドライブにおけるテープガイドローラー６０１の周りに引っ張られる場合に、テープカートリッジリーダー３１０が急な曲率半径において屈曲することを可能にする。これにより、確実にテープカートリッジリーダー３１０が、テープドライブにおけるテープ経路を横断する場合に、テープガイドローラー６０１に適切に収容される。図５に示されるように、既存のテープカートリッジリーダー２０３は、テープガイドローラー５０１の表面に適合するように十分に曲がることができず、それによってテープカートリッジリーダー２０３がずれを被り、ここで、このテープカートリッジリーダー２０３は、テープドライブにおけるテープ経路を横断する場合に、テープ経路から滑り得る。さらに、テープカートリッジリーダー２０３の端部および巻き取りリーダー２０１の端部は、互いに平坦に存在せず、それにより、留め金接続が切断を被る。図６に示されるように、本発明のテープカートリッジリーダー３１０は、可撓性解放アパーチャ３４１を備えられ、このアパーチャ３４１は、テープカートリッジリーダー３１０が、先行技術のテープカートリッジリーダー２０３より急な曲率半径にて屈曲することを可能にして、テープカートリッジリーダー３１０が、テープガイドローラー６０１の表面に適合することを可能にする。このより急な屈曲曲率半径はまた、テープカートリッジリーダー３１０を、テープドライブにおけるテープ経路の大きさ全体にわたって巻き取りリーダー３０１と接触した状態に維持する。
【００１５】
この可撓性解放アパーチャ３４１は、多くの形態にて実施され得、図７および８は、２つの可能な実施を例示する。図７において、この可撓性解放アパーチャ３４１は、丸くなった角７０１〜７０４を備えた、実質的に矩形の形状のアパーチャ７００を備える。この解放アパーチャ３４１の代替的実施は、図８に示される。ここで複数の（例示目的で３つが示されている）矩形の形状のスロット８０１〜８０３は、テープカートリッジリーダー３１０の本体に形成され、少なくとも１つのスロットが、対応する丸形または多角形の形状の（実質的に丸形）アパーチャ８０１Ａ−８０３Ｂにより、その各端部にて終結する。これらの形状、要素の数、位置、可撓性解放アパーチャ３４１の大きさおよび寸法は、テープカートリッジリーダー３１０に提供される可撓性の程度を制御するように変化され得る。可撓性解放アパーチャ３４１を実施する際に考慮されなければならない、多くの相互作用テープカートリッジリーダー特徴（可撓性、強度、亀裂、変形に対する耐性、実施の費用、信頼性、他のテープカートリッジリーダー特徴に対する近さなどが挙げられるが、これらに限定されない）が存在することは自明である。可撓性解放アパーチャ３４１は、ガイドウイング３１４Ａの一方における位置から、テープカートリッジリーダーの幅全体にわたって、他のガイドウイング３１４Ｂへと延びるように、示される。可撓性解放アパーチャ３４１はまた、ガイドウイング３１４内のテープカートリッジリーダー３１０の長手軸寸法に沿って、実質的に中心づけられるように示される。長軸方向の可撓性解放アパーチャ３４１の位置が変化され得、可撓性解放アパーチャ３４１を実施するために使用される要素８０１〜８０３の空間の均一性はまた、テープカートリッジリーダー３４１の機械的特徴を変えるように変化され得る。可撓性解放アパーチャ３４１の末端部の位置は、さらに変化され得、可撓性解放アパーチャ３４１を実施するために使用される要素の形状は、テープカートリッジリーダー３１０の幅にまたがって均一でない可撓性特徴を提供し得、それにより、テープカートリッジリーダー３１０の本体の中心と比較して、ウイング３１４におけるさらなる可撓性を提供する。この解放アパーチャ３４１はまた、テープカートリッジリーダー３１０における亀裂形成の可能性を減少させる。ここでガイドウイング３１４は、既存のテープカートリッジリーダーにおいて問題である、テープカートリッジリーダー３１０の本体と接触する。
【００１６】
このカートリッジリーダー留め穴（ｂｕｃｋｌｉｎｇ  ｈｏｌｅ）３１１は、２つの部分を備える：アパーチャ３１９を受容する留めチップおよびキノコ型先端レシーバセグメント３１２。この留めチップレシーバアパーチャ３１９は、標的開口部を備え、この開口部を通って、巻き取りリーダー３００のキノコ型チップ３０１が挿入される。次いで、この巻き取りリーダー３００は、キノコ型チップ３０１の首をキノコ型チップレシーバセグメント３１２に挿入することによって、テープカートリッジリーダー３１０と係合される。その結果、この巻き取りリーダー３００のキノコ型チップ３０１は、テープカートリッジリーダー３１０から緩めるように引っ張ることはできない。先行技術のテープカートリッジリーダーにおいて、カートリッジリーダー留め穴は、鋭い角を有し、この角において、巻き取りリーダーのキノコ型チップは、受け得る。本発明のテープカートリッジリーダー３１０は、カートリッジリーダー留め穴３１９上に引っ掛かるキノコ型チップ３０１の確率を減少させるように、キノコ型チップレシーバセグメント３１２と接合して曲率半径３１７においてリード線を備える留めチップ受容アパーチャ３１２を有する。さらに、カートリッジリーダー留め穴３１９の留めチップ受容アパーチャ３１１のサイズは、従来技術において使用されていたサイズより増大されて、それにより、テープカートリッジリーダー３１０を備える巻き取りリーダー３００のより信頼性のある係合を提供する。
【００１７】
図４は、テープドライブの操作を形成するフロー図において、磁気媒体をテープカートリッジに巻き戻し、本発明のテープカートリッジリーダー３１０を用いて、そこに備えられるテープカートリッジリーダーの係合を外すことを例示する。この巻き取りリーダー３００は、テープドライブよって行われる読み取り／書き込み操作の間に、周知の様式にてテープカートリッジリーダー３１０に留められる。テープカートリッジ取り出し操作および本発明のテープカートリッジリーダー３１０の操作の前にくるこの磁気テープ媒体巻き戻し操作は、図１および３において開示される構造体を参照して、図４のフロー図に記載される。特に、工程４０１において、テープドライブは、磁気テープ媒体３３３をテープカートリッジの供給リールに巻き戻す。工程４０２において、留め金を外す操作は、テープドライブにおける留め金を外す機構（示さず）を作動して、巻き取りリーダー３００のキノコ型チップ３０１をカートリッジリーダー留め穴３１９から周知の様式で分離するテープドライブにより開始される。工程４０３におけるテープドライブは、次いで、テープカートリッジリーダー３１０をテープカートリッジへと巻き取り、ここで工程４０４において、ガイドウイング３１４は、供給リールの２つのフランジの対抗する表面に形成されるガイド軌道に入る。このガイドウイング３１４は、一旦ガイド軌道と係合されると、工程４０５において、供給リールの２つのフランジ間にテープカートリッジリーダー３１０を中心づけ、フック保持穴３１３と、カートリッジリーダー保持フック３２０とを整列する。工程４０６において、カートリッジリーダー保持フック３２０は、テープカートリッジリーダー３１０のフック保持穴３１３に入る。ここで、フック保持穴３１３の先導縁部３１６についての曲率半径は、カートリッジリーダー保持フック３２０の対応する曲率半径と適合する。この磁気テープ媒体巻き戻し操作は、テープドライブがテープドライブから磁気テープカートリッジを外す場合に工程４０７において完了する。
【００１８】
当業者は、上記の原理が、他の巻き取りリーダー設計に適用されて、本発明の利点を具現化することを理解する。当業者はまた、本発明の範囲内に入る上記の実施形態のバリエーションを理解する。結果として、本発明は、上記で議論した特定の例および例示に限定されず、以下の特許請求の範囲およびその等価物によってのみ限定される。
【図面の簡単な説明】
【００１９】
【図１】図１は、本発明に従って、テープカートリッジリーダーを組み込み得る単一リールテープカートリッジの例を示す。
【図２】図２は、巻き取りリーダーに接続された従来技術のテープカートリッジリーダーの例を示す。
【図３】図３は、巻き取りリーダーに接続された、本発明に従うテープカートリッジリーダーを例示する。
【図４】図４は、フロー図において、テープドライブの操作を形成して、磁気媒体をテープカートリッジに巻き戻し、本発明のテープカートリッジリーダーを使用して、そこに含まれるテープカートリッジリーダーの係合を外すことを示す。
【図５】図５は、既存のテープカートリッジリーダーについての、テープガイドローラーの周りのテープカートリッジリーダーの軌道を例示する。
【図６】図６は、本発明のテープカートリッジリーダーについての、テープガイドローラーの周りのテープカートリッジリーダーの軌道を例示する。
【図７】図７は、本発明のテープカートリッジリーダーにおける可撓性解放アパーチャの２つの実施形態のさらなる詳細を示す。
【図８】図８は、本発明のテープカートリッジリーダーにおける可撓性解放アパーチャの２つの実施形態のさらなる詳細を示す。
【図１】
2004536418.tif 000003
【図２】
2004536418.tif 000004
【図４】
2004536418.tif 000005
【図５】
2004536418.tif 000006
【国際公開パンフレット】
2004536418.tif 000007
2004536418.tif 000008
2004536418.tif 000009
2004536418.tif 000010
2004536418.tif 000011
2004536418.tif 000012
2004536418.tif 000013
2004536418.tif 000014
2004536418.tif 000015
2004536418.tif 000016
2004536418.tif 000017
2004536418.tif 000018
2004536418.tif 000019
2004536418.tif 000020
2004536418.tif 000021
2004536418.tif 000022
【国際調査報告】
2004536418.tif 000023
2004536418.tif 000024
2004536418.tif 000025